【手続補正書】
【提出日】平成30年3月27日(2018.3.27)
【手続補正１】
【補正対象書類名】特許請求の範囲
【補正対象項目名】全文
【補正方法】変更
【補正の内容】
【特許請求の範囲】
【請求項１】
搭載されている定着器を記録材の幅サイズに対応する情報を記憶する記憶部を備えた他の定着器に載せ替えて画像形成を行うことが可能な画像形成装置を制御する制御装置であって、
前記記憶部に記憶された記録材の幅サイズに対応する情報を読み出す読み出し部と、
画像形成すべき記録材の幅サイズに対応する情報を取得する取得部と、
前記読み出し部により読み出された情報と前記取得部により取得された情報に基づいて前記画像形成装置の動作を制御する制御部と、を有し、
前記制御部は、前記取得部により取得された記録材の幅サイズが前記読み出し部により読み出された記録材の幅サイズよりも小さい場合、画像形成動作を禁止することを特徴とする制御装置。
【請求項２】
前記制御部は、前記取得部により取得された記録材の幅サイズが前記読み出し部により読み出された記録材の幅サイズよりも小さい場合、前記定着器の交換を促すメッセージを表示部に表示させることを特徴とする請求項１に記載の制御装置。
【請求項３】
前記制御部は、前記取得部により取得された記録材の幅サイズが前記読み出し部により読み出された記録材の幅サイズよりも小さい場合、前記取得部により取得された記録材の幅サイズと一致する記録材の幅サイズに対応する情報を記憶する記憶部を備えた定着器への交換を促すメッセージを前記表示部に表示させることを特徴とする請求項２に記載の制御装置。
【請求項４】
前記制御部は、前記取得部により取得された記録材の幅サイズが前記読み出し部により読み出された記録材の幅サイズよりも大きい場合、画像形成動作を許可すべきか否かの選択を促すように表示部を制御することを特徴とする請求項１に記載の制御装置。
【請求項５】
前記制御部は、前記取得部により取得された記録材の幅サイズが前記読み出し部により読み出された記録材の幅サイズよりも大きい場合、画像形成動作を許可させるためのキーと、画像形成動作を許可させないためのキーと、を前記表示部に表示させることを特徴とする請求項４に記載の制御装置。
【請求項６】
前記画像形成装置は前記表示部を有し、前記制御部は前記画像形成装置に設けられた前記表示部の表示を制御することを特徴とする請求項２乃至５のいずれか一項に記載の制御装置。
【請求項７】
前記制御部は、前記取得部により取得された記録材の幅サイズが前記読み出し部により読み出された記録材の幅サイズよりも小さい場合、前記画像形成装置に搭載されている定着器が交換されない限り、前記取得部により取得された幅サイズを有する記録材への画像形成動作の実行を禁止することを特徴とする請求項１乃至６のいずれか一項に記載の制御装置。
【請求項８】
前記制御部は、前記取得部により取得された記録材の幅サイズが前記読み出し部により読み出された記録材の幅サイズと同じ場合、画像形成動作を実行することを特徴とする請求項１乃至７のいずれか一項に記載の制御装置。
【請求項９】
前記定着器は、記録材に形成されたトナー像を熱及び圧力により定着するためのニップ部を形成する１対の回転体を有することを特徴とする請求項１乃至８の何れか一項に記載の制御装置。
【請求項１０】
搭載されている定着器を記録材の幅サイズに対応する情報を示す指示部を備えた他の定着器に載せ替えて画像形成を行うことが可能な画像形成装置を制御する制御装置であって、
前記指示部が示す記録材の幅サイズに対応する情報を取得する第１の取得部と、
画像形成すべき記録材の幅サイズに対応する情報を取得する第２の取得部と、
前記第１の取得部により取得された情報と前記第２の取得部により取得された情報に基づいて前記画像形成装置の動作を制御する制御部と、を有し、
前記制御部は、前記第２の取得部により取得された記録材の幅サイズが前記第１の取得部により取得された記録材の幅サイズよりも小さい場合、画像形成動作を禁止することを特徴とする制御装置。
【請求項１１】
前記制御部は、前記第２の取得部により取得された記録材の幅サイズが前記第１の取得部により取得された記録材の幅サイズよりも小さい場合、前記定着器の交換を促すメッセージを表示部に表示させることを特徴とする請求項１０に記載の制御装置。
【請求項１２】
前記制御部は、前記第２の取得部により取得された記録材の幅サイズが前記第１の取得部により取得された記録材の幅サイズよりも小さい場合、前記第２の取得部により取得された記録材の幅サイズと一致する記録材の幅サイズに対応する情報を示す指示部を備えた定着器への交換を促すメッセージを前記表示部に表示させることを特徴とする請求項１１に記載の制御装置。
【請求項１３】
前記制御部は、前記第２の取得部により取得された記録材の幅サイズが前記第１の取得部により取得された記録材の幅サイズよりも大きい場合、画像形成動作を許可すべきか否かの選択を促すように表示部を制御することを特徴とする請求項１０に記載の制御装置。
【請求項１４】
前記制御部は、前記第２の取得部により取得された記録材の幅サイズが前記第１の取得部により取得された記録材の幅サイズよりも大きい場合、画像形成動作を許可させるためのキーと、画像形成動作を許可させないためのキーと、を前記表示部に表示させることを特徴とする請求項１３に記載の制御装置。
【請求項１５】
前記画像形成装置は前記表示部を有し、前記制御部は前記画像形成装置に設けられた前記表示部の表示を制御することを特徴とする請求項１１乃至１４のいずれか一項に記載の制御装置。
【請求項１６】
前記制御部は、前記第２の取得部により取得された記録材の幅サイズが前記第１の取得部により取得された記録材の幅サイズよりも小さい場合、前記画像形成装置に搭載されている定着器が交換されない限り、前記第２の取得部により取得された幅サイズを有する記録材への画像形成動作の実行を禁止することを特徴とする請求項１０乃至１５のいずれか一項に記載の制御装置。
【請求項１７】
前記制御部は、前記第２の取得部により取得された記録材の幅サイズが前記第１の取得部により取得された記録材の幅サイズと同じ場合、画像形成動作を実行することを特徴とする請求項１０乃至１６のいずれか一項に記載の制御装置。
【請求項１８】
前記指示部は、互いに異なる幅サイズの記録材を示す複数の部位と、前記複数の部位の中から１つを選択するための選択部と、を有し、前記第１の取得部は前記選択部により選択された部位に応じて記録材の幅サイズに対応する情報を取得することを特徴とする請求項１０乃至１７の何れか一項に記載の制御装置。
【請求項１９】
前記選択部は、可動式のインジケータであることを特徴とする請求項１８に記載の制御装置。
【請求項２０】
前記定着器は、記録材に形成されたトナー像を熱及び圧力により定着するためのニップ部を形成する１対の回転体を有することを特徴とする請求項１０乃至１９の何れか一項に記載の制御装置。
【請求項２１】
記録材にトナー像を形成する画像形成器と、
前記画像形成器により形成されたトナー像を記録材に定着する定着器と、
前記定着器の用途を制限すべく記録材の幅サイズに対応する情報を記憶する記憶部と、
前記記憶部に記憶された記録材の幅サイズに対応する情報を読み出す読み出し部と、
画像形成すべき記録材の幅サイズに対応する情報を取得する取得部と、
前記読み出し部により読み出された情報と前記取得部により取得された情報に基づいて前記画像形成器の動作を制御する制御部と、を有し、
前記制御部は、前記取得部により取得された記録材の幅サイズが前記読み出し部により読み出された記録材の幅サイズよりも小さい場合、画像形成動作を禁止することを特徴とする画像形成装置。
【請求項２２】
表示部を有し、
前記制御部は、前記取得部により取得された記録材の幅サイズが前記読み出し部により読み出された記録材の幅サイズよりも小さい場合、前記定着器の交換を促すメッセージを前記表示部に表示させることを特徴とする請求項２１に記載の画像形成装置。
【請求項２３】
前記制御部は、前記取得部により取得された記録材の幅サイズが前記読み出し部により読み出された記録材の幅サイズよりも小さい場合、前記取得部により取得された記録材の幅サイズと一致する記録材の幅サイズに対応する情報を記憶する記憶部を備えた定着器への交換を促すメッセージを前記表示部に表示させることを特徴とする請求項２２に記載の画像形成装置。
【請求項２４】
表示部を有し、
前記制御部は、前記取得部により取得された記録材の幅サイズが前記読み出し部により読み出された記録材の幅サイズよりも大きい場合、画像形成動作を許可すべきか否かの選択を促すように前記表示部を制御することを特徴とする請求項２１に記載の画像形成装置。
【請求項２５】
前記制御部は、前記取得部により取得された記録材の幅サイズが前記読み出し部により読み出された記録材の幅サイズよりも大きい場合、画像形成動作を許可させるためのキーと、画像形成動作を許可させないためのキーと、を前記表示部に表示させることを特徴とする請求項２４に記載の画像形成装置。
【請求項２６】
前記記憶部は前記定着器に取り付けられていることを特徴とする請求項２１乃至２５の何れか一項に記載の画像形成装置。
【請求項２７】
前記制御部は、前記取得部により取得された記録材の幅サイズが前記読み出し部により読み出された記録材の幅サイズよりも小さい場合、前記画像形成装置に搭載されている定着器が交換されない限り、前記取得部により取得された幅サイズを有する記録材への画像形成動作の実行を禁止することを特徴とする請求項２１乃至２６のいずれか一項に記載の画像形成装置。
【請求項２８】
前記制御部は、前記取得部により取得された記録材の幅サイズが前記読み出し部により読み出された記録材の幅サイズと同じ場合、画像形成動作を実行することを特徴とする請求項２１乃至２７のいずれか一項に記載の画像形成装置。
【請求項２９】
前記定着器は、記録材に形成されたトナー像を熱及び圧力により定着するためのニップ部を形成する１対の回転体を有することを特徴とする請求項２１乃至２８の何れか一項に記載の画像形成装置。
【請求項３０】
記録材にトナー像を形成する画像形成器と、
前記画像形成器により形成されたトナー像を記録材に定着する定着器と、
前記定着器の用途を制限すべく記録材の幅サイズに対応する情報を示す指示部と、
前記指示部が示す記録材の幅サイズに対応する情報を取得する第１の取得部と、
画像形成すべき記録材の幅サイズに対応する情報を取得する第２の取得部と、
前記第１の取得部により取得された情報と前記第２の取得部により取得された情報に基づいて前記画像形成器の動作を制御する制御部と、を有し、
前記制御部は、前記第２の取得部により取得された記録材の幅サイズが前記第１の取得部により取得された記録材の幅サイズよりも小さい場合、画像形成動作を禁止することを特徴とする画像形成装置。
【請求項３１】
表示部を有し、
前記制御部は、前記第２の取得部により取得された記録材の幅サイズが前記第１の取得部により取得された記録材の幅サイズよりも小さい場合、前記定着器の交換を促すメッセージを前記表示部に表示させることを特徴とする請求項３０に記載の画像形成装置。
【請求項３２】
前記制御部は、前記第２の取得部により取得された記録材の幅サイズが前記第１の取得部により取得された記録材の幅サイズよりも小さい場合、前記第２の取得部により取得された記録材の幅サイズと一致する記録材の幅サイズに対応する情報を示す指示部を備えた定着器への交換を促すメッセージを前記表示部に表示させることを特徴とする請求項３１に記載の画像形成装置。
【請求項３３】
表示部を有し、
前記制御部は、前記第２の取得部により取得された記録材の幅サイズが前記第１の取得部により取得された記録材の幅サイズよりも大きい場合、画像形成動作を許可すべきか否かの選択を促すように前記表示部に制御することを特徴とする請求項３０に記載の画像形成装置。
【請求項３４】
前記制御部は、前記第２の取得部により取得された記録材の幅サイズが前記第１の取得部により取得された記録材の幅サイズよりも大きい場合、画像形成動作を許可させるためのキーと、画像形成動作を許可させないためのキーと、を前記表示部に表示させることを特徴とする請求項３３に記載の画像形成装置。
【請求項３５】
前記指示部は、互いに異なる幅サイズの記録材を示す複数の部位と、前記複数の部位の中から１つを選択するための選択部と、を有し、前記第１の取得部は前記選択部により選択された部位に応じて記録材の幅サイズに対応する情報を取得することを特徴とする請求項３０乃至３４の何れか一項に記載の画像形成装置。
【請求項３６】
前記選択部は、可動式のインジケータであることを特徴とする請求項３５に記載の画像形成装置。
【請求項３７】
前記制御部は、前記第２の取得部により取得された記録材の幅サイズが前記第１の取得部により取得された記録材の幅サイズよりも小さい場合、前記画像形成装置に搭載されている定着器が交換されない限り、前記第２の取得部により取得された幅サイズを有する記録材への画像形成動作の実行を禁止することを特徴とする請求項３０乃至３６のいずれか一項に記載の画像形成装置。
【請求項３８】
前記制御部は、前記第２の取得部により取得された記録材の幅サイズが前記第１の取得部により取得された記録材の幅サイズと同じ場合、画像形成動作を実行することを特徴とする請求項３０乃至３７のいずれか一項に記載の画像形成装置。
【請求項３９】
前記定着器は、記録材に形成されたトナー像を熱及び圧力により定着するためのニップ部を形成する１対の回転体を有することを特徴とする請求項３０乃至３８の何れか一項に記載の画像形成装置。
【請求項４０】
表示部を有し、搭載されている定着器を記録材の幅サイズに対応する情報を記憶する記憶部を備えた他の定着器に載せ替えて画像形成を行うことが可能な画像形成装置を制御する制御装置であって、
前記記憶部に記憶された記録材の幅サイズに対応する情報を読み出す読み出し部と、
画像形成すべき記録材の幅サイズを複数の選択肢の中から選択させるための表示が行われるよう前記表示部を制御する制御部と、を有し、
前記制御部は、前記読み出し部により読み出された記録材の幅サイズよりも小さい幅サイズの記録材の選択を不可にすることを特徴とする制御装置。
【請求項４１】
前記制御部は、前記読み出し部により読み出された記録材の幅サイズと同じ幅サイズの記録材の選択を許容することを特徴とする請求項４０に記載の制御装置。
【請求項４２】
表示部を有し、搭載されている定着器を搭載されている定着器を記録材の幅サイズに対応する情報を示す指示部を備えた他の定着器に載せ替えて画像形成を行うことが可能な画像形成装置を制御する制御装置であって、
前記指示部が示す記録材の幅サイズに対応する情報を取得する取得部と、
画像形成すべき記録材の幅サイズを複数の選択肢の中から選択させるための表示が行われるよう前記表示部を制御する制御部と、を有し、
前記制御部は、前記取得部により取得された記録材の幅サイズよりも小さい幅サイズの記録材の選択を不可にすることを特徴とする制御装置。
【請求項４３】
前記制御部は、前記取得部により取得された記録材の幅サイズと同じ幅サイズの記録材の選択を許容することを特徴とする請求項４２に記載の制御装置。
【手続補正２】
【補正対象書類名】明細書
【補正対象項目名】発明の名称
【補正方法】変更
【補正の内容】
【発明の名称】制御装置、及び、画像形成装置
【手続補正３】
【補正対象書類名】明細書
【補正対象項目名】０００１
【補正方法】変更
【補正の内容】
【０００１】
本発明は、制御装置、及び、画像形成装置に関する。
【手続補正４】
【補正対象書類名】明細書
【補正対象項目名】０００２
【補正方法】変更
【補正の内容】
【０００２】
従来より、電子写真式の画像形成装置（例えば、複写機、プリンタ、ＦＡＸ、及びこれらの機能を複数備えた複合機）には、電子写真プロセスを利用して記録材に形成されたトナー像を定着する定着器が搭載されている。この定着器は、一対の回転体、例えば、定着ローラと加圧ローラにより形成されるニップ部で記録材を挟持搬送しながらトナー像を加熱する構成となっている。
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】削除
【補正の内容】